(57)【要約】【課題】  医師が患者に対して遠隔で診察を行う画面共有遠隔診察システムにおいて、医師の時給を適切に変動させる。【解決手段】  患者端末１００で撮像された患部の撮像画像が表示された画面を、ネットワークを介して接続された医師端末２００と共有しながら医師６００が患者５００に対して遠隔で診察を行う画面共有遠隔診察システムに、対応可能な医師の数を検出する医師数検出モジュール３２１と、検出された医師の数に基づいて医師の時給を変動させる医師時給変動モジュール３２２を備える。【選択図】図１
2018003077.tif 000002
【特許請求の範囲】
【請求項１】
接続可能な医師の数に基づいて、前記医師の時給を変動させる画面共有遠隔診察システム。
【請求項２】
さらに時間帯に基づいて、前記医師の時給を変動させる請求項１に記載の画面共有遠隔診察システム。
【請求項３】
さらに接続した患者の数に基づいて、前記医師の時給を変動させる請求項１または請求項２に記載の画面共有遠隔診察システム。
【請求項４】
医師端末に前記医師の時給を表示する請求項１から請求項３のいずれかに記載の画面共有遠隔診察システム。
【請求項５】
医師端末に前記接続可能な医師の数を表示する請求項１から請求項４のいずれかに記載の画面共有遠隔診察システム。
【請求項６】
接続可能な医師の数に基づいて、前記医師の時給を変動させる画面共有遠隔診察方法。
【請求項７】
接続可能な医師の数に基づいて、前記医師の時給を変動させる画面共有遠隔診察プログラム。
【請求項８】
患者端末で撮像された患部の撮像画像が表示された当該患者端末の画面を、ネットワークを介して接続された医師端末と共有しながら医師が患者に対して遠隔で診察を行う画面共有遠隔診察システムであって、
接続可能な医師端末数から対応可能な医師の数を検出する医師数検出手段と、
前記検出された医師の数に基づいて、前記医師の時給を変動させる医師時給変動手段と、
を備えることを特徴とする画面共有遠隔診察システム。
【請求項９】
前記医師時給変動手段は、さらに接続する時間帯に基づいて前記医師の時給を変動させることを特徴とする請求項８に記載の画面共有遠隔診察システム。
【請求項１０】
接続した患者の数を集計する患者数集計手段と、
を備え、
前記時給変動手段は、さらに前記患者の数に基づいて前記医師の時給を変動させることを特徴とする請求項８または請求項９に記載の画面共有遠隔診察システム。
【請求項１１】
前記医師端末に前記医師の時給を表示する医師時給表示手段を備えることを特徴とする請求項８から請求項１０のいずれかに記載の画面共有遠隔診察システム。
【請求項１２】
前記医師端末に前記医師の数を表示する医師数表示手段
を備えることを特徴とする請求項８から請求項１１のいずれかに記載の画面共有遠隔診察システム。
【請求項１３】
患者端末で撮像された患部の撮像画像が表示された当該患者端末の画面を、ネットワークを介して接続された医師端末と共有しながら医師が患者に対して遠隔で診察を行う画面共有遠隔診察方法であって、
接続可能な医師端末数から対応可能な医師の数を検出するステップと、
前記検出された医師の数に基づいて、前記医師の時給を変動させるステップと、
を備えることを特徴とする画面共有遠隔診察方法。
【請求項１４】
患者端末で撮像された患部の撮像画像が表示された当該患者端末の画面を、ネットワークを介して接続された医師端末と共有しながら医師が患者に対して遠隔で診察を行う画面共有遠隔診察システムに、
接続可能な医師端末数から対応可能な医師の数を検出するステップ、
前記検出された医師の数に基づいて、前記医師の時給を変動させるステップ、
を実行させるための画面共有遠隔診察プログラム。
【発明の詳細な説明】
【技術分野】
【０００１】
本発明は、患者端末の画面を医師端末と共有しながら医師が患者に対して遠隔で診察を行う画面共有遠隔診察システムにおいて、医師の時給を適切に変動させる画面共有遠隔診察システム、画面共有遠隔診察方法、および画面共有遠隔診察プログラムに関する。
【背景技術】
【０００２】
患者や介護者が通院する負担を軽減し、診療、データ通信、費用請求、支払い等をシステムで処理できるようにする在宅診療看護システムが提案されている（特許文献１）。
【先行技術文献】
【特許文献】
【０００３】
【特許文献１】特開２００１−３３８０６８号公報
【発明の概要】
【発明が解決しようとする課題】
【０００４】
しかしながら、特許文献１のシステムは、特定の医療機関に導入することを前提とされているため、所在地にとらわれず、大勢の患者と大勢の医師の間をとりもって、患者にいつでも必要な遠隔診療や健康相談を提供するというサービスには適さない。【０００５】
また、このような大勢の患者と大勢の医師の間をとりもって、患者にいつでも必要な遠隔診療や健康相談を提供するというサービスを実施するためには、常に診断可能な医師を確保する必要がある。そのためには、医師に対して適切な支払い報酬を決定する必要があるが、既存のシステムでは、医師への報酬を決定するための方法は開示されていない。【０００６】
本発明では、これらの課題に鑑み、患者端末の画面を医師端末と共有しながら医師が患者に対して遠隔で診察を行う画面共有遠隔診察システムにおいて、医師の時給を適切に変動させる画面共有遠隔診察システム、画面共有遠隔診察方法、および画面共有遠隔診察プログラムを提供することを目的とする。
【課題を解決するための手段】
【０００７】
本発明では、以下のような解決手段を提供する。【０００８】
第１の特徴に係る発明は、接続可能な医師の数に基づいて、前記医師の時給を変動させる画面共有遠隔診察システムを提供する。【０００９】
第１の特徴に係る発明によれば、画面共有遠隔診察システムにおいて、接続可能な医師の数に基づいて、前記医師の時給を変動させる。【００１０】
第１の特徴に係る発明は、画面共有遠隔診察システムのカテゴリであるが、画面共有遠隔診察方法、および画面共有遠隔診察プログラムであっても同様の作用、効果を奏する。【００１１】
第２の特徴に係る発明は、第１の特徴に係る発明である画面共有遠隔診察システムであって、
さらに時間帯に基づいて、前記医師の時給を変動させる画面共有遠隔診察システムを提供する。【００１２】
第２の特徴に係る発明によれば、第１の特徴に係る発明である画面共有遠隔診察システムにおいて、さらに時間帯に基づいて、前記医師の時給を変動させる。【００１３】
第３の特徴に係る発明は、第１の特徴または第２の特徴に係る発明である画面共有遠隔診察システムであって、
さらに接続した患者の数に基づいて、前記医師の時給を変動させる画面共有遠隔診察システムを提供する。【００１４】
第３の特徴に係る発明によれば、第１の特徴または第２の特徴に係る発明である画面共有遠隔診察システムにおいて、さらに接続した患者の数に基づいて、前記医師の時給を変動させる。【００１５】
第４の特徴に係る発明は、第１の特徴から第３の特徴のいずれかに係る発明である画面共有遠隔診察システムであって、
医師端末に前記医師の時給を表示する画面共有遠隔診察システムを提供する。【００１６】
第４の特徴に係る発明によれば、第１の特徴から第３の特徴のいずれかに係る発明である画面共有遠隔診察システムにおいて、医師端末に前記医師の時給を表示する。【００１７】
第５の特徴に係る発明は、第１の特徴から第４の特徴のいずれかに係る発明である画面共有遠隔診察システムであって、
医師端末に前記接続可能な医師の数を表示する画面共有遠隔診察システムを提供する。【００１８】
第５の特徴に係る発明によれば、第１の特徴から第４の特徴のいずれかに係る発明である画面共有遠隔診察システムにおいて、医師端末に前記接続可能な医師の数を表示する。【００１９】
第６の特徴に係る発明は、画面共有遠隔診察方法であって、
接続可能な医師の数に基づいて、前記医師の時給を変動させるステップを備える画面共有遠隔診察方法を提供する。【００２０】
第７の特徴に係る発明は、画面共有遠隔診察システムに、
接続可能な医師の数に基づいて、前記医師の時給を変動させるステップ、
を実行させる画面共有遠隔診察プログラムを提供する。【００２１】
第８の特徴に係る発明は、患者端末で撮像された患部の撮像画像が表示された当該患者端末の画面を、ネットワークを介して接続された医師端末と共有しながら医師が患者に対して遠隔で診察を行う画面共有遠隔診察システムであって、
接続可能な医師端末数から対応可能な医師の数を検出する医師数検出手段と、
前記検出された医師の数に基づいて、前記医師の時給を変動させる医師時給変動手段と、
を備えることを特徴とする画面共有遠隔診察システムを提供する。【００２２】
第８の特徴に係る発明によれば、患者端末で撮像された患部の撮像画像が表示された当該患者端末の画面を、ネットワークを介して接続された医師端末と共有しながら医師が患者に対して遠隔で診察を行う画面共有遠隔診察システムにおいて、接続可能な医師端末数から対応可能な医師の数を検出する医師数検出手段と、前記検出された医師の数に基づいて、前記医師の時給を変動させる医師時給変動手段と、を備える。【００２３】
第８の特徴に係る発明は、画面共有遠隔診察システムのカテゴリであるが、画面共有遠隔診察方法、および画面共有遠隔診察プログラムであっても同様の作用、効果を奏する。【００２４】
第９の特徴に係る発明は、第８の特徴に係る発明である画面共有遠隔診察システムであって、
前記医師時給変動手段は、さらに接続する時間帯に基づいて前記医師の時給を変動させることを特徴とする画面共有遠隔診察システムを提供する。【００２５】
第９の特徴に係る発明によれば、第８の特徴に係る発明である画面共有遠隔診察システムにおいて、前記医師時給変動手段は、さらに接続する時間帯に基づいて前記医師の時給を変動させる。【００２６】
第１０の特徴に係る発明は、第８の特徴または第９の特徴に係る発明である画面共有遠隔診察システムであって、
接続した患者の数を集計する患者数集計手段と、
を備え、
前記時給変動手段は、さらに前記患者の数に基づいて前記医師の時給を変動させることを特徴とする画面共有遠隔診察システムを提供する。【００２７】
第１０の特徴に係る発明によれば、第８の特徴または第９の特徴に係る発明である画面共有遠隔診察システムにおいて、接続した患者の数を集計する患者数集計手段と、を備え、前記時給変動手段は、さらに前記患者の数に基づいて前記医師の時給を変動させる。【００２８】
第１１の特徴に係る発明は、第８の特徴から第１０の特徴のいずれかに係る発明である画面共有遠隔診察システムであって、
前記医師端末に前記医師の時給を表示する医師時給表示手段を備えることを特徴とする画面共有遠隔診察システムを提供する。【００２９】
第１１の特徴に係る発明によれば、第８の特徴から第１０の特徴のいずれかに係る発明である画面共有遠隔診察システムにおいて、前記医師端末に前記医師の時給を表示する医師時給表示手段を備える。【００３０】
第１２の特徴に係る発明は、第８の特徴から第１１の特徴のいずれかに係る発明である画面共有遠隔診察システムであって、
前記医師端末に前記医師の数を表示する医師数表示手段を備えることを特徴とする画面共有遠隔診察システムを提供する。【００３１】
第１２の特徴に係る発明によれば、第８の特徴から第１１の特徴のいずれかに係る発明である画面共有遠隔診察システムにおいて、前記医師端末に前記医師の数を表示する医師数表示手段を備える。【００３２】
第１３の特徴に係る発明は、患者端末で撮像された患部の撮像画像が表示された当該患者端末の画面を、ネットワークを介して接続された医師端末と共有しながら医師が患者に対して遠隔で診察を行う画面共有遠隔診察方法であって、
接続可能な医師端末数から対応可能な医師の数を検出するステップと、
前記検出された医師の数に基づいて、前記医師の時給を変動させるステップと、
を備えることを特徴とする画面共有遠隔診察方法を提供する。【００３３】
第１４の特徴に係る発明は、患者端末で撮像された患部の撮像画像が表示された当該患者端末の画面を、ネットワークを介して接続された医師端末と共有しながら医師が患者に対して遠隔で診察を行う画面共有遠隔診察システムに、
接続可能な医師端末数から対応可能な医師の数を検出するステップ、
前記検出された医師の数に基づいて、前記医師の時給を変動させるステップ、
を実行させるための画面共有遠隔診察プログラムを提供する。
【発明の効果】
【００３４】
本発明によれば、患者端末の画面を医師端末と共有しながら医師が患者に対して遠隔で診察を行う画面共有遠隔診察システムにおいて、医師の時給を適切に変動させる画面共有遠隔診察システム、画面共有遠隔診察方法、および画面共有遠隔診察プログラムを提供することが可能となる。
【図面の簡単な説明】
【００３５】
【図１】図１は、本発明の好適な実施形態の概要図である。
【図２】図２は、患者端末１００と医師端末２００とサーバ３００の機能ブロックと各機能の関係を示す図である。
【図３】図３は、医師端末２００とサーバ３００の医師数検出に基づく医師時給変動処理のフローチャート図である。
【図４】図４は、医師端末２００とサーバ３００の医師数検出と時間帯検出に基づく医師時給変動処理のフローチャート図である。
【図５】図５は、患者端末１００と医師端末２００とサーバ３００の画面共有遠隔診察処理のフローチャート図である。
【図６】図６は、患者数集計機能を備える場合の患者端末１００と医師端末２００とサーバ３００の機能ブロックと各機能の関係を示す図である。
【図７】図７は、医師端末２００とサーバ３００の医師数検出と患者数集計に基づく医師時給変動処理のフローチャート図である。
【図８】図８は、医師時給表示機能と医師数表示機能を備える場合の患者端末１００と医師端末２００とサーバ３００の機能ブロックと各機能の関係を示す図である。
【図９】図９は、医師時給表示処理と医師数表示処理を行う場合の医師端末２００とサーバ３００の医師数検出に基づく医師時給変動処理のフローチャート図である。
【図１０】図１０は、画面共有遠隔診察システムで診察を行っている場合の患者端末１００と医師端末２００の出力例である。
【図１１】図１１は、医師数と時給の対応を示すデータ例である。
【図１２】図１２は、医師数と時間帯と時給の対応を示すデータ例である。
【図１３】図１３は、医師数と患者数と時給の対応を示すデータ例である。
【図１４】図１４は、診察中に医師端末２００に医師数表示と時給表示を行う場合の出力例である。
【図１５】図１５は、ログイン時に医師端末２００に医師数表示と時給表示を行って、医師６００の確認後にログインさせる場合の出力例である。
【発明を実施するための形態】
【００３６】
以下、本発明を実施するための最良の形態について図を参照しながら説明する。なお、これはあくまでも一例であって、本発明の技術的範囲はこれに限られるものではない。
【００３７】
［画面共有遠隔診察システムの概要］
図１は、本発明の好適な実施形態の概要図である。この図１に基づいて、本発明の概要を説明する。
【００３８】
本発明の概要について図１に基づいて、説明する。患者端末１００、医師端末２００ａ〜医師端末２００ｎ、サーバ３００は、通信網４００を介して通信可能であるものとする。患者端末１００は患者５００が所持するものとし、医師端末２００ａ〜医師端末２００ｎは医師６００ａ〜医師６００ｎが所持するものとする。患者端末１００は、図２に示すように、カメラ部１１０、入力部１２０、出力部１３０、記憶部１４０、制御部１５０、通信部１６０、から構成される。医師端末２００ａ〜医師端末２００ｎは、図２の医師端末２００に示すように、カメラ部２１０、入力部２２０、出力部２３０、記憶部２４０、制御部２５０、通信部２６０、から構成される。サーバ３００は、同じく図２に示すように、記憶部３１０、制御部３２０、通信部３３０、から構成される。制御部３２０は通信部３３０と協働して医師数検出モジュール３２１、医師時給変動モジュール３２２を実現する。通信網４００は、インターネット等の公衆通信網でも専用通信網でも良い。
【００３９】
患者端末１００と医師端末２００ａ〜医師端末２００ｎは、画面共有が行えて、各種アプリケーションを実行可能な一般的な情報端末であって良く、後述する機能を備える情報機器や電化製品である。携帯電話やスマートフォン、タブレットＰＣ、ノートＰＣ、ウェアラブルデバイス、またはディスプレイを備えたＰＣ等の一般的な情報家電や、複合型プリンタ、テレビ、ルータ又はゲートウェイ等のネットワーク機器、冷蔵庫、洗濯機等の白物家電、電話機、ネットブック端末、スレート端末、電子書籍端末、電子辞書端末、携帯型音楽プレーヤ、携帯型コンテンツ再生・録画プレーヤ等の電化製品であって良い。患者端末１００および医師端末２００ａ〜医師端末２００ｎとして図示しているスマートフォンはその一例にすぎない。また、ここでは患者端末１００一台と患者５００一人のみを図示しているが、画面共有遠隔診察システムには、複数の患者端末１００ａ〜患者端末１００ｍから複数の患者５００ａ〜患者５００ｍが同時に接続していて問題ない。
【００４０】
図１の画面共有遠隔診察システムにおいて、患者端末１００のカメラ部１１０で撮像された患部の撮像画像が表示された当該患者端末１００の画面を、選択された医師６００の医師端末２００と共有しながら医師６００は患者５００に対して遠隔で診察を行う。
【００４１】
図１０は、画面共有遠隔診察システムで診察を行っている場合の患者端末１００と医師端末２００の出力例である。患者５００は、患者端末１００のカメラ部１１０で患部を撮像し、医師６００に対して診察を依頼する。医師６００は、医師端末２００で患者５００の患部を確認し、必要であれば、患者５００に対して、他の角度からも患部を撮像するよう依頼したり、来院するように指示したりすることが可能である。また、医師端末２００のカメラ部２１０で撮像した医師６００の撮像画像も、患者端末１００の出力部１３０に表示してもよい。医師６００の撮像画像も患者５００と共有することで、音声のみによる診察よりも、患者５００に対して安心感を与えることができる。図１０では図示していないが、医師６００の確認のため、医師端末２００にもカメラ部２１０で撮像した撮像画像を表示してもよい。
【００４２】
サーバ３００の医師数検出モジュール３２１は、医師６００が画面共有遠隔診察システムにログインを行う際に、接続された医師端末２００を検出し、接続中の医師数を更新する。また、同じく医師数検出モジュール３２１は医師６００が画面共有遠隔診察システムからログアウトを行った際にも、非接続となった医師端末２００を検出し、接続中の医師数を更新する。このほかにも、医師数検出モジュール３２１は、医師端末２００との接続が予定外に解除されてしまった場合を考慮し、一定の間隔で接続中であるはずの医師端末との通信が可能かどうかを確認し、接続中の医師数を更新することが望ましい。
【００４３】
サーバ３００の医師時給変動モジュール３２２は、医師数検出モジュール３２１が検出した医師の数に基づいて、医師の時給を変動させる。
【００４４】
図１１は、医師数と時給の対応を示すデータ例である。サーバ３００は、このような医師数と時給の対応を示すデータを記憶部３１０に保持するものとする。接続中であり診察の対応可能な医師数が分かれば、図１１の表に照らし合わせて医師の時給を算出することができる。医師時給変動モジュール３２２は、医師数検出モジュール３２１が対応可能な医師数が１２人であることを検出した場合、この１２人という医師数に応じて医師の時給を１０，０００円と決定する。図１１に示したのはあくまで一例であるので、画面共有遠隔診察システムに登録している全医師数に応じて、システムに適用する医師数と時給の対応を変更してもよい。また、医師時給変動モジュール３２２が、医師への報酬に割り当てられる予算を基に、自動で医師数と時給の対応表を算出するようにしてもよい。また、医師数と時給の対応がどの設定のときに、医師の稼働率が高く、患者が即時診察可能な割合が高く、医師への報酬のコストが低くなるかを、医師時給変動モジュール３２２が機械学習して、その結果を基に算出してもよい。
【００４５】
以上のように、本発明によれば、患者端末の画面を医師端末と共有しながら医師が患者に対して遠隔で診察を行う画面共有遠隔診察システムにおいて、接続可能な医師の数に応じて、医師の時給を適切に変動させる画面共有遠隔診察システム、画面共有遠隔診察方法、および画面共有遠隔診察プログラムを提供することが可能になる。
【００４６】
［各機能の説明］
図２は、患者端末１００と医師端末２００とサーバ３００の機能ブロックと各機能の関係を示す図である。患者端末１００、医師端末２００、サーバ３００は、通信網４００を介して通信可能であるものとする。患者端末１００は、カメラ部１１０、入力部１２０、出力部１３０、記憶部１４０、制御部１５０、通信部１６０、から構成される。医師端末２００は、カメラ部２１０、入力部２２０、出力部２３０、記憶部２４０、制御部２５０、通信部２６０、から構成される。サーバ３００は、記憶部３１０、制御部３２０、通信部３３０、から構成される。制御部３２０は通信部３３０と協働して医師数検出モジュール３２１、医師時給変動モジュール３２２を実現する。通信網４００は、インターネット等の公衆通信網でも専用通信網でも良い。
【００４７】
患者端末１００と医師端末２００は、画面共有が行えて、各種アプリケーションを実行可能な一般的な情報端末であって良く、後述する機能を備える情報機器や電化製品である。携帯電話やスマートフォン、タブレットＰＣ、ノートＰＣ、ウェアラブルデバイス、またはディスプレイを備えたＰＣ等の一般的な情報家電や、複合型プリンタ、テレビ、ルータ又はゲートウェイ等のネットワーク機器、冷蔵庫、洗濯機等の白物家電、電話機、ネットブック端末、スレート端末、電子書籍端末、電子辞書端末、携帯型音楽プレーヤ、携帯型コンテンツ再生・録画プレーヤ等の電化製品であって良い。患者端末１００および医師端末２００として図示しているスマートフォンはその一例にすぎない。また、ここでは患者端末１００一台と医師端末２００一台のみを図示しているが、画面共有遠隔診察システムには、複数の患者端末１００ａ〜患者端末１００ｍと複数の医師端末２００ａ〜医師端末２００ｎとが、同時に接続していて問題ない。
【００４８】
患者端末１００は、カメラ部１１０にカメラを備える。撮像した画像をデジタルデータに変換して、記憶部１４０に保存する。また、撮像画像は静止画像であっても動画像であってもよく、動画像の場合には、制御部１５０の働きにより、動画像の一部を切り出して、静止画像として記憶部１４０に保存することも可能であるとする。また、撮像して得られる画像は、医師端末２００での診察に必要なだけの情報量を持った精密な画像であるものとし、画素数や画質を指定可能であるものとする。
【００４９】
入力部１２０は、撮像の指定や画面共有遠隔診察システムへの接続を行うために必要な機能を備えるものとする。例として、タッチパネル機能を実現する液晶ディスプレイ、キーボード、マウス、ペンタブレット、装置上のハードウェアボタン、音声認識を行うためのマイク等を備えることが可能である。入力方法により、本発明は特に機能を限定されるものではない。
【００５０】
出力部１３０は、撮像画像の表示や、医師端末２００との画面共有を行うために必要な機能を備えるものとする。例として、液晶ディスプレイ、ＰＣのディスプレイ、プロジェクターへの投影等の表示と音声出力等の形態が考えられる。出力方法により、本発明は特に機能を限定されるものではない。
【００５１】
記憶部１４０として、ハードディスクや半導体メモリによる、データのストレージ部を備え、撮像した動画や静止画と、撮像時の設定などの情報、患者５００が画面共有遠隔診察システムを利用するために必要なデータ等を記憶する。
【００５２】
制御部１５０として、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を備える。
【００５３】
通信部１６０として、他の機器と通信可能にするためのデバイス、例えば、ＩＥＥＥ８０２．１１に準拠したＷｉＦｉ（Ｗｉｒｅｌｅｓｓ  Ｆｉｄｅｌｉｔｙ）対応デバイス又は第３世代、第４世代移動通信システム等のＩＭＴ−２０００規格に準拠した無線デバイス等を備える。有線によるＬＡＮ接続であってもよい。
【００５４】
医師端末２００は、カメラ部２１０にカメラを備えることが望ましい。撮像した画像をデジタルデータに変換して、記憶部２４０に保存する。また、撮像画像は静止画像であっても動画像であってもよく、動画像の場合には、制御部２５０の働きにより、動画像の一部を切り出して、静止画像として記憶部２４０に保存することも可能であるとする。また、撮像して得られる画像は、患者端末１００に表示する際に、患者に必要なだけの情報量を持った精密な画像であるものとし、画素数や画質を指定可能であるものとする。
【００５５】
入力部２２０は、撮像の指定や画面共有遠隔診察システムへの接続を行うために必要な機能を備えるものとする。例として、タッチパネル機能を実現する液晶ディスプレイ、キーボード、マウス、ペンタブレット、装置上のハードウェアボタン、音声認識を行うためのマイク等を備えることが可能である。入力方法により、本発明は特に機能を限定されるものではない。
【００５６】
出力部２３０は、撮像画像の表示や、患者端末１００との画面共有を行うために必要な機能を備えるものとする。例として、液晶ディスプレイ、ＰＣのディスプレイ、プロジェクターへの投影等の表示と音声出力等の形態が考えられる。出力方法により、本発明は特に機能を限定されるものではない。
【００５７】
記憶部２４０として、ハードディスクや半導体メモリによる、データのストレージ部を備え、撮像した動画や静止画と、撮像時の設定などの情報、医師６００が画面共有遠隔診察システムを利用するために必要なデータ等を記憶する。
【００５８】
制御部２５０として、ＣＰＵ、ＲＡＭ、ＲＯＭ等を備える。
【００５９】
通信部２６０として、他の機器と通信可能にするためのデバイス、例えば、ＩＥＥＥ８０２．１１に準拠したＷｉＦｉ対応デバイス又は第３世代、第４世代移動通信システム等のＩＭＴ−２０００規格に準拠した無線デバイス等を備える。有線によるＬＡＮ接続であってもよい。
【００６０】
サーバ３００は、後述の機能を備える、一般的なサーバであってよい。
【００６１】
サーバ３００は、記憶部３１０として、ハードディスクや半導体メモリによる、データのストレージ部を備える。記憶部３１０には、患者端末１００の情報、患者５００の情報、医師端末２００の情報、医師６００の情報、医師数と時給の対応を示すデータ等を保持するものとする。
【００６２】
サーバ３００は、制御部３２０として、ＣＰＵ、ＲＡＭ、ＲＯＭ等を備える。
【００６３】
また、通信部３３０は、有線または無線により、他のデバイスと通信可能とする。例えば、ＩＥＥＥ８０２．１１に準拠したＷｉＦｉ対応デバイス又は、第３世代移動通信システム等のＩＭＴ−２０００規格に準拠した無線デバイス等を備える。有線によるＬＡＮ接続であってもよい。
【００６４】
サーバ３００において、制御部３２０が所定のプログラムを読み込むことで、通信部３３０と協働して、医師数検出モジュール３２１、医師時給変動モジュール３２２を実現する。
【００６５】
［医師数検出に基づく医師時給変動処理］
図３は、医師端末２００とサーバ３００の医師数検出に基づく医師時給変動処理のフローチャート図である。上述した各装置のモジュールが実行する処理について、本処理に併せて説明する。患者端末１００と医師端末２００とサーバ３００は、通信網４００を介して通信可能であるものとする。通信網４００は、インターネット等の公衆通信網でも専用通信網でも良い。
【００６６】
はじめに、医師端末２００は、ログインするために必要な医師情報を、通信部２６０を介してサーバ３００に送信し、画面共有遠隔診察システムにログインする（ステップＳ１０１）。ここでの医師情報とは、名前やニックネームや医師ＩＤ等のアカウント情報と、パスワードやパスフレーズ、ＩＣカードやスマートカード、指紋や虹彩、等の認証情報からなるものとする。ここでは、簡略化のためにログインが成功したものとしてフローチャートを記載しているが、ログインが失敗した場合には、リトライを行わせてもよいし、一定回数以上失敗した場合にはアカウントをロックしてログイン処理を終了してもよい。
【００６７】
次に、サーバ３００は、通信部３３０を介して新たにログインした医師情報を受信する（ステップＳ１０２）。ここで、サーバ３００は、医師情報を受信するとともに、以降の処理で医師端末２００との接続を確認するために必要な情報も、あわせて医師端末２００から取得するものとする。
【００６８】
次に、医師数検出モジュール３２１は、画面共有遠隔診察システムにログインしている医師数を検出する（ステップＳ１０３）。ここでは、新たに接続された医師端末２００を検出し、接続中の医師数を更新する処理を行う。また、あわせて先にログイン済みであった医師端末２００ｘとの接続が予定外に解除されてしまった場合を考慮し、接続中であるはずの医師端末との通信が可能かどうかを確認し、接続中の医師数を再検出する処理を行ってもよい。
【００６９】
次に、医師数検出モジュール３２１は、医師端末２００に対して、医師数を通知する（ステップＳ１０４）。通知した医師数は、医師端末２００側で接続している医師数を確認する際に使用してもよい。また、医師端末２００以外にも、画面共有遠隔診察システムにログインしている医師端末２００ａ〜医師端末２００ｎに同じタイミングで通知してもよい。また、ここではサーバ３００の医師数検出モジュール３２１が自発的に医師数を通知するフローを図示したが、医師端末２００からの医師数の問い合わせに応じて、医師数を通知してもよい。
【００７０】
医師時給変動モジュール３２２は、医師数検出モジュール３２１が検出した画面共有遠隔診察システムにログインしている医師の数に基づいて、医師の時給を算出する（ステップＳ１０５）。
【００７１】
図１１は、医師数と時給の対応を示すデータ例である。サーバ３００は、このような医師数と時給の対応を示すデータを記憶部３１０に保持するものとする。接続中であり診察の対応可能な医師数が分かれば、図１１の表に照らし合わせて医師の時給を算出することができる。医師時給変動モジュール３２２は、対応可能な医師数が４人であることを検出した場合、この４人という医師数に応じて医師の時給を１５，０００円と決定する。ここに示したのはあくまで一例であるので、画面共有遠隔診察システムに登録している全医師数に応じて、システムに適用する医師数と時給の対応を変更してもよい。また、医師時給変動モジュール３２２が、医師への報酬に割り当てられる予算を基に、自動で医師数と時給の対応表を算出するようにしてもよい。また、医師数と時給の対応がどの設定のときに、医師の稼働率が高く、患者が即時診察可能な割合が高く、医師への報酬のコストが低くなるかを、医師時給変動モジュール３２２が機械学習して、その結果を基に算出してもよい。
【００７２】
次に、医師時給変動モジュール３２２は、医師端末２００に対して、時給を通知する（ステップＳ１０６）。通知した時給は、医師端末２００側で時給を確認する際に使用してもよい。また、医師端末２００以外にも、画面共有遠隔診察システムにログインしている医師端末２００ａ〜医師端末２００ｎに同じタイミングで通知してもよい。また、ここではサーバ３００の医師時給変動モジュール３２２が自発的に時給を通知するフローを図示したが、医師端末２００からの時給の問い合わせに応じて、時給を通知してもよい。また、数分単位で時給が変動すると、医師６００に対する報酬の計算が煩雑になるため、医師端末２００に対する時給の更新は、１０分毎、３０分毎、一時間毎、など、区切りの良いタイミングでのみ可能となるよう、システム側で設定を行えるようにしてもよい。
【００７３】
その後、医師端末２００は患者端末１００との間で、画面共有遠隔診察処理を行う（ステップＳ１０７）。画面共有遠隔診察処理については、後述する。
【００７４】
画面共有遠隔診察処理の終了後、医師端末２００は、画面共有遠隔診察システムからログアウトを行うことを、通信部２６０を介してサーバ３００に送信する（ステップＳ１０８）。
【００７５】
最後に、サーバ３００は、通信部３３０を介してログアウトした医師情報を受け取り、医師数検出モジュール３２１は、画面共有遠隔診察システムにログインしている医師数を更新する（ステップＳ１０９）。ここでは、ログアウトにより接続解除された医師端末２００の分、接続中の医師数を減らす処理を行う。また、あわせて先にログイン済みであった医師端末２００ｘとの接続が予定外に解除されてしまった場合を考慮し、接続中であるはずの医師端末との通信が可能かどうかを確認し、接続中の医師数を再検出する処理を行ってもよい。
【００７６】
図３では、医師端末２００のログイン時とログアウト時に、ログインしている医師数を更新するフローチャートを記載したが、医師端末２００ｘとの接続が予定外に解除されてしまった場合を考慮し、医師数検出モジュール３２１が一定の間隔で接続中であるはずの医師端末との通信が可能かどうかを確認し、接続中の医師数を更新してもよい。
【００７７】
以上のように、本発明によれば、患者端末の画面を医師端末と共有しながら医師が患者に対して遠隔で診察を行う画面共有遠隔診察システムにおいて、接続可能な医師の数に応じて、医師の時給を適切に変動させる画面共有遠隔診察システム、画面共有遠隔診察方法、および画面共有遠隔診察プログラムを提供することが可能になる。
【００７８】
［医師数検出と時間帯検出に基づく医師時給変動処理］
図４は、医師端末２００とサーバ３００の医師数検出と時間帯検出に基づく医師時給変動処理のフローチャート図である。上述した各装置のモジュールが実行する処理について、本処理に併せて説明する。患者端末１００と医師端末２００とサーバ３００は、通信網４００を介して通信可能であるものとする。通信網４００は、インターネット等の公衆通信網でも専用通信網でも良い。図４のステップＳ２０１からステップＳ２０４の処理は、図３のステップＳ１０１からステップＳ１０４の処理に相当するため、ステップＳ２０５以降について説明する。
【００７９】
医師数検出モジュール３２１による医師数の検出後、医師時給変動モジュール３２２は、時間帯を検出する（ステップＳ２０５）。ここでは、サーバ３００が自分自身の時計機能またはネットワークを利用して時刻を取得した後、現在の時刻がどの時間帯に属するかを検出してもよいし、現在の時刻のみを保持して次のステップＳ２０６でどの時間帯に属するかを確認できるようにしてもよい。
【００８０】
次に、医師時給変動モジュール３２２は、医師数検出モジュール３２１が検出した画面共有遠隔診察システムにログインしている医師の数と時間帯とに基づいて、医師の時給を算出する（ステップＳ２０６）。
【００８１】
図１２は、医師数と時間帯と時給の対応を示すデータ例である。サーバ３００は、このような医師数と時間帯と時給の対応を示すデータを記憶部３１０に保持するものとする。接続中であり診察の対応可能な医師数と、現在の時間帯が分かれば、図１２の表に照らし合わせて医師の時給を算出することができる。医師時給変動モジュール３２２は、対応可能な医師数が７人であり、時間帯が０：００〜８：００の区分に属することを検出した場合、医師数と時間帯に応じて医師の時給を１６，０００円と決定する。また、医師数が２０人であり、時間帯が８：００〜１７：００の区分に属することを検出した場合には、医師の時給を９，０００円と決定する。ここに示したのはあくまで一例であるので、時間帯の分け方は、システムに応じてシステム運用者が適切に設定してよい。また、画面共有遠隔診察システムに登録している全医師数に応じて、システムに適用する医師数と時間帯と時給の対応を変更してもよい。また、医師時給変動モジュール３２２が、医師への報酬に割り当てられる予算を基に、自動で医師数と時間帯と時給の対応表を算出するようにしてもよい。また、医師数と時間帯と時給の対応がどの設定のときに、医師の稼働率が高く、患者が即時診察可能な割合が高く、医師への報酬のコストが低くなるかを、医師時給変動モジュール３２２が機械学習して、その結果を基に算出してもよい。
【００８２】
次に、医師時給変動モジュール３２２は、医師端末２００に対して、時給を通知する（ステップＳ２０７）。通知した時給は、医師端末２００側で時給を確認する際に使用してもよい。また、医師端末２００以外にも、画面共有遠隔診察システムにログインしている医師端末２００ａ〜医師端末２００ｎに同じタイミングで通知してもよい。また、ここではサーバ３００の医師時給変動モジュール３２２が自発的に時給を通知するフローを図示したが、医師端末２００からの時給の問い合わせに応じて、時給を通知してもよい。また、数分単位で時給が変動すると、医師６００に対する報酬の計算が煩雑になるため、医師端末２００に対する時給の更新は、１０分毎、３０分毎、一時間毎、など、区切りの良いタイミングでのみ可能となるよう、システム側で設定を行えるようにしてもよい。
【００８３】
医師時給変動モジュール３２２は、時間帯が変化したかどうかの確認を行う（ステップＳ２０８）。図１２の例であれば、８：００になったタイミングと１７：００になったタイミングで、ステップＳ２０８の分岐がＹＥＳとなる。時間帯が変化した場合には、ステップＳ２０６に戻り、再度時給の算出を行い（ステップＳ２０６）、医師端末２００に時給を通知する（ステップＳ２０７）。時間帯が変化していない場合には、次のステップへと進む。
【００８４】
医師端末２００は患者端末１００との間で、画面共有遠隔診察処理を行う（ステップＳ２０９）。画面共有遠隔診察処理については、後述する。
【００８５】
画面共有遠隔診察処理の終了後、医師端末２００は、画面共有遠隔診察システムからログアウトを行うことを、通信部２６０を介してサーバ３００に送信する（ステップＳ２１０）。
【００８６】
最後に、サーバ３００は、通信部３３０を介してログアウトした医師情報を受け取り、医師数検出モジュール３２１は、画面共有遠隔診察システムにログインしている医師数を更新する（ステップＳ２１１）。ここでは、ログアウトにより接続解除された医師端末２００の分、接続中の医師数を減らす処理を行う。また、あわせて先にログイン済みであった医師端末２００ｘとの接続が予定外に解除されてしまった場合を考慮し、接続中であるはずの医師端末との通信が可能かどうかを確認し、接続中の医師数を再検出する処理を行ってもよい。
【００８７】
図４では、医師端末２００のログイン時とログアウト時に、ログインしている医師数を更新するフローチャートを記載したが、医師端末２００ｘとの接続が予定外に解除されてしまった場合を考慮し、医師数検出モジュール３２１が一定の間隔で接続中であるはずの医師端末との通信が可能かどうかを確認し、接続中の医師数を更新してもよい。
【００８８】
以上のように、本発明によれば、患者端末の画面を医師端末と共有しながら医師が患者に対して遠隔で診察を行う画面共有遠隔診察システムにおいて、接続可能な医師の数と時間帯とに応じて、医師の時給を適切に変動させる画面共有遠隔診察システム、画面共有遠隔診察方法、および画面共有遠隔診察プログラムを提供することが可能になる。
【００８９】
［画面共有遠隔診察処理］
図５は、患者端末１００と医師端末２００とサーバ３００の画面共有遠隔診察処理のフローチャート図である。前述した図３のステップＳ１０７、図４のステップＳ２０９、後述する図７のステップＳ４０９、図９のステップＳ５０９に相当する。図５のフローチャートの開始前に、医師端末２００は画面共有遠隔診察システムにログインしているものとする。
【００９０】
まず、患者端末１００は、ログインするために必要な患者情報を、通信部１６０を介してサーバ３００に送信し、画面共有遠隔診察システムにログインする（ステップＳ３０１）。ここでの患者情報とは、名前やニックネームや患者ＩＤ等のアカウント情報と、パスワードやパスフレーズ、ＩＣカードやスマートカード、指紋や虹彩等の認証情報からなるものとする。ここでは、簡略化のためにログインが成功したものとしてフローチャートを記載しているが、ログインが失敗した場合には、リトライを行わせてもよいし、一定回数以上失敗した場合にはアカウントをロックしてログイン処理を終了してもよい。
【００９１】
次に、サーバ３００は、通信部３３０を介して新たにログインした患者情報を受信する（ステップＳ３０２）。ここで、サーバ３００は、患者情報を受信するとともに、以降の処理で患者端末１００との接続を確認するために必要な情報も、あわせて患者端末１００から取得するものとする。
【００９２】
次に、サーバ３００の制御部３２０は、受信した患者情報をもとに、患者端末１００または記憶部３１０から、患者データを取得する（ステップＳ３０３）。ここでの患者データとは、名前、年齢、性別、希望の診療科、診察の種類、以前に画面共有遠隔診察システムを利用した際の担当医師や日時、等の診療に必要な情報を含むものとする。また、ここでの診察の種類とは、再診、初診、予約診断、等である。必要に応じて、患者データに症状の説明を含めてもよい。
【００９３】
サーバ３００の制御部３２０は、患者情報と患者データを基に、現在接続中であり対応可能な医師それぞれについての医師情報を作成し、患者端末１００に送信する（ステップＳ３０４）。ここでの医師情報とは、患者端末１００で医師の選択を行うために必要な、医師の名前、プロフィールや写真、医師の担当診療科等である。また、過去に患者端末１００の患者５００が、各医師に診察を受けた回数等を加えてもよい。医師毎の医師情報は、サーバ３００の記憶部３１０にデータベースを設けて保持しておいてもよい。
【００９４】
患者端末１００は、受信した医師情報を基に、出力部１３０に医師情報を表示する（ステップＳ３０５）。
【００９５】
入力部１２０を介した患者５００による医師の選択に応じて、患者端末１００の制御部１５０は、選択した医師６００の医師端末２００に対する画面共有要求を、サーバ３００に対して送信する（ステップＳ３０６）。
【００９６】
サーバ３００は、この画面共有要求を受け、所望の医師端末２００に患者要求の送信を行う（ステップＳ３０７）。ここでは患者からの画面共有要求とあわせて、患者の名前や性別、年齢、希望の診療科、診察の種類、以前の利用状況、症状の説明等の情報を医師端末２００に送信してもよい。
【００９７】
医師端末２００の制御部２５０は、患者端末１００からの画面共有要求を受け、画面共有を開始する（ステップＳ３０８）。ここでは、フローチャートの簡略化のために、画面共有要求を即時受け入れ可能であり、画面共有を開始する場合のみを記載したが、医師端末２００が患者要求に対して、一定時間応答がない場合、または、要求を拒否する場合には、ステップＳ３０４の医師情報送信にもどり、サーバ３００経由で、選択した医師が画面共有要求に応答できないことを患者端末１００に通知するとともに、更新した医師情報を患者端末１００に送信し、再度、医師の選択を行ってよい。また、選択した医師端末２００が他の患者端末１００ｘとの画面共有を行っている場合には、画面共有が終わるのを待つか、指定の時間に予約を行うか、等の選択肢を患者端末１００の出力部１３０に出力してもよい。その際、待ち時間の目安をあわせて表示してもよい。
【００９８】
医師端末２００側の画面共有要求の受け入れにより、患者端末１００側でも、制御部１５０により、画面共有を開始する（ステップＳ３０９）。以降の画面共有の実行中は、カメラ部１１０による撮像画像と、カメラ部２１０による撮像画像が、音声とともに、患者端末１００と医師端末２００で出力されているものとする。また、画面共有方法に関しては、本特許を限定するものではなく、既存の技術を利用可能であるものとする。
【００９９】
画面共有の開始後、患者端末１００のカメラ部１１０により患部画像の撮像を行い、医師端末２００と画面共有する（ステップＳ３１０）。撮像に対する指示は、医師端末２００から行ってもよい。
【０１００】
医師６００は、医師端末２００の出力部２３０を介して患部画像の確認を行い、患者５００を診断し、結果を患者端末１００に伝える（ステップＳ３１１）。患者端末１００の出力部１３０に対する診断の出力は、医師端末２００のカメラ部２１０による撮像画像と入力部２２０による医師６００の音声の他にも、入力部２２０を使用して入力した文字や患部の撮像画像に対して手書きで入力した画像データ等、必要に応じて行えるものとする。また、ステップＳ３１０とステップＳ３１１は、患者５００と医師６００が必要であると判断する間は、繰り返し行って良いものとする。
【０１０１】
診断後、患者端末１００の制御部１５０は、患者５００の入力に応じて、画面共有を終了し、医師端末２００に対して通知する（ステップＳ３１２）。
【０１０２】
また、患者端末１００からの画面共有終了の通知により、医師端末２００側でも画面共有を終了する（ステップＳ３１３）。ここで、ステップＳ３１２とステップＳ３１３の順序が逆となり、医師端末２００から患者端末１００に対して、画面共有の終了を通知してもよいものとする。
【０１０３】
最後に、患者端末１００は、画面共有遠隔診察システムからログアウトを行うことを、通信部１６０を介してサーバ３００に送信する（ステップＳ３１４）。
【０１０４】
以上が患者端末１００に対する画面共有遠隔診察処理であり、これらの処理の終了後も、医師端末２００は画面共有遠隔診察システムにログインしており、他の患者端末１００からの画面共有要求にこたえられる状況になるものとする。またここでは、画面共有処理の開始後は、患者端末１００と医師端末２００が直接通信を行うフローを記載したが、必要に応じてサーバ３００を経由した通信を行ってもよく、その場合には、サーバ３００に画面共有時の記録を保存してもよい。
【０１０５】
［患者数集計機能を備える画面共有遠隔診察システム］
図６は、患者数集計機能を備える場合の患者端末１００と医師端末２００とサーバ３００の機能ブロックと各機能の関係を示す図である。図２の構成に加えて、サーバ３００の制御部３２０は通信部３３０と協働して患者数集計モジュール３２３を実現する。
【０１０６】
図７は、医師端末２００とサーバ３００の医師数検出と患者数集計に基づく医師時給変動処理のフローチャート図である。上述した各装置のモジュールが実行する処理について、本処理に併せて説明する。患者端末１００と医師端末２００とサーバ３００は、通信網４００を介して通信可能であるものとする。通信網４００は、インターネット等の公衆通信網でも専用通信網でも良い。図７のステップＳ４０１からステップＳ４０４の処理は、図３のステップＳ１０１からステップＳ１０４の処理に相当するため、ステップＳ４０５以降について説明する。
【０１０７】
医師数検出モジュール３２１による医師数の検出後、患者数集計モジュール３２３は、画面共有遠隔診察システムに接続中の患者数を集計する（ステップＳ４０５）。ここでは、画面共有遠隔診察システムに接続中の全患者数を集計してもよいし、医師端末２００との画面共有を行っていない診察待ち状態の患者端末１００のみを患者数として集計してもよい。また、このどちらの集計方法を使用するかは、システムの運用者が必要に応じて適切に設定できるようにしてよい。
【０１０８】
次に、医師時給変動モジュール３２２は、医師数検出モジュール３２１が検出した画面共有遠隔診察システムにログインしている医師の数と患者数集計モジュール３２３が集計した患者数に基づいて、医師の時給を算出する（ステップＳ４０６）。
【０１０９】
図１３は、医師数と患者数と時給の対応を示すデータ例である。サーバ３００は、このような医師数と患者数と時給の対応を示すデータを記憶部３１０に保持するものとする。接続中であり診察の対応可能な医師数と、検出した患者数に応じて、図１３の表に照らし合わせて医師の時給を算出することができる。医師時給変動モジュール３２２は、対応可能な医師数が４人であり、患者数が１０人であるとし集計した場合、医師数と患者数に応じて医師の時給を１５，０００円と決定する。また、医師数が８人であり、患者数が５人であると集計した場合には、医師の時給を１０，０００円と決定する。ここに示したのはあくまで一例であるので、患者数の分け方は、システム運用者がシステムに応じて適切に設定してよい。また、図１３で横線「−」で表示している区分は、患者数に対して医師数が不要に多くなる場合である。このような場合には、新たな医師端末２００ｙが画面共有遠隔診察システムにログインできなくなるよう、制限をかけてもよい。また、画面共有遠隔診察システムに登録している全医師数に応じて、システムに適用する医師数と患者数と時給の対応を変更してもよい。また、医師時給変動モジュール３２２が、医師への報酬に割り当てられる予算を基に、自動で医師数と患者数と時給の対応表を算出するようにしてもよい。また、医師数と患者数と時給の対応がどの設定のときに、医師の稼働率が高く、患者が即時診察可能な割合が高く、医師への報酬のコストが低くなるかを、医師時給変動モジュール３２２が機械学習して、その結果を基に算出してもよい。
【０１１０】
次に、医師時給変動モジュール３２２は、医師端末２００に対して、時給を通知する（ステップＳ４０７）。通知した時給は、医師端末２００側で時給を確認する際に使用してもよい。また、医師端末２００以外にも、画面共有遠隔診察システムにログインしている医師端末２００ａ〜医師端末２００ｎに同じタイミングで通知してもよい。また、ここではサーバ３００の医師時給変動モジュール３２２が自発的に時給を通知するフローを図示したが、医師端末２００からの時給の問い合わせに応じて、時給を通知してもよい。また、数分単位で時給が変動すると、医師６００に対する報酬の計算が煩雑になるため、医師端末２００に対する時給の更新は、１０分毎、３０分毎、一時間毎、など、区切りの良いタイミングでのみ可能となるよう、システム側で設定を行えるようにしてもよい。
【０１１１】
その後、患者数集計モジュール３２３は、患者数が変化したかどうかの確認を行う（ステップＳ４０８）。患者のログインやログアウトのタイミングで、患者数が前回の集計時と変化した場合には、ステップＳ４０６に戻り再度時給の算出を行い、医師端末２００に時給を通知する（ステップＳ４０７）。患者数が変化していない場合には、次のステップへと進む。
【０１１２】
医師端末２００は患者端末１００との間で、画面共有遠隔診察処理を行う（ステップＳ４０９）。画面共有遠隔診察処理については、前述した通りである。
【０１１３】
画面共有遠隔診察処理の終了後、医師端末２００は、画面共有遠隔診察システムからログアウトを行うことを、通信部２６０を介してサーバ３００に送信する（ステップＳ４１０）。
【０１１４】
最後に、サーバ３００は、通信部３３０を介してログアウトした医師情報を受け取り、医師数検出モジュール３２１は、画面共有遠隔診察システムにログインしている医師数を更新する（ステップＳ４１１）。ここでは、ログアウトにより接続解除された医師端末２００の分、接続中の医師数を減らす処理を行う。また、あわせて先にログイン済みであった医師端末２００ｘとの接続が予定外に解除されてしまった場合を考慮し、接続中であるはずの医師端末との通信が可能かどうかを確認し、接続中の医師数を再検出する処理を行ってもよい。
【０１１５】
ここでは、医師端末２００のログイン時とログアウト時に、ログインしている医師数を更新するフローチャートを記載したが、医師端末２００ｘとの接続が予定外に解除されてしまった場合を考慮し、医師数検出モジュール３２１が一定の間隔で接続中であるはずの医師端末との通信が可能かどうかを確認し、接続中の医師数を更新してもよい。また、同じように、患者数集計モジュール３２３が一定の間隔で接続中であるはずの患者端末との通信が可能かどうかを確認し、接続中の患者数を集計してもよい。
【０１１６】
以上のように、本発明によれば、患者端末の画面を医師端末と共有しながら医師が患者に対して遠隔で診察を行う画面共有遠隔診察システムにおいて、接続可能な医師の数と患者の数とに応じて、医師の時給を適切に変動させる画面共有遠隔診察システム、画面共有遠隔診察方法、および画面共有遠隔診察プログラムを提供することが可能になる。
【０１１７】
［医師時給表示機能と医師数表示機能を備える医師時給変動処理］
図８は、医師時給表示機能と医師数表示機能を備える場合の患者端末１００と医師端末２００とサーバ３００の機能ブロックと各機能の関係を示す図である。図２の構成に加えて、医師端末２００の出力部２３０に、医師時給表示モジュール２３１と医師数表示モジュール２３２を備える。ここでは、医師時給表示モジュール２３１と医師数表示モジュール２３２の両方を備える例を記載しているが、どちらか片方のみ備える構成でも良い。
【０１１８】
図９は、医師時給表示処理と医師数表示処理を行う場合の医師端末２００とサーバ３００の医師数検出に基づく医師時給変動処理のフローチャート図である。上述した各装置のモジュールが実行する処理について、本処理に併せて説明する。患者端末１００と医師端末２００とサーバ３００は、通信網４００を介して通信可能であるものとする。通信網４００は、インターネット等の公衆通信網でも専用通信網でも良い。図９のステップＳ５０１からステップＳ５０４の処理は、図３のステップＳ１０１からステップＳ１０４の処理に相当するため、ステップＳ５０５以降について説明する。
【０１１９】
医師数検出モジュール３２１による医師端末２００に対する医師数の通知後、医師端末２００の医師数表示モジュール２３２は、出力部２３０に医師数を表示する（ステップＳ５０５）。ここでは、出力方法を表示としているが、表示のかわりに音声出力を行ってもよい。
【０１２０】
次に、医師時給変動モジュール３２２は、医師数検出モジュール３２１が検出した画面共有遠隔診察システムにログインしている医師の数に基づいて、医師の時給を算出する（ステップＳ５０６）。
【０１２１】
図１１は、医師数と時給の対応を示すデータ例である。サーバ３００は、このような医師数と時給の対応を示すデータを記憶部３１０に保持するものとする。接続中であり診察の対応可能な医師数が分かれば、図１１の表に照らし合わせて医師の時給を算出することができる。医師時給変動モジュール３２２は、対応可能な医師数が１２人であることを検出した場合、この１２人という医師数に応じて医師の時給を１０，０００円と決定する。図１１に示したのはあくまで一例であるので、画面共有遠隔診察システムに登録している全医師数に応じて、システムに適用する医師数と時給の対応を変更してもよい。また、医師時給変動モジュール３２２が、医師への報酬に割り当てられる予算を基に、自動で医師数と時給の対応表を算出するようにしてもよい。また、医師数と時給の対応がどの設定のときに、医師の稼働率が高く、患者が即時診察可能な割合が高く、医師への報酬のコストが低くなるかを、医師時給変動モジュール３２２が機械学習して、その結果を基に算出してもよい。
【０１２２】
次に、医師時給変動モジュール３２２は、医師端末２００に対して、時給を通知する（ステップＳ５０７）。通知した時給は、医師端末２００側で時給を確認する際に使用してもよい。また、医師端末２００以外にも、画面共有遠隔診察システムにログインしている医師端末２００ａ〜医師端末２００ｎに同じタイミングで通知してもよい。また、ここではサーバ３００の医師時給変動モジュール３２２が自発的に時給を通知するフローを図示したが、医師端末２００からの時給の問い合わせに応じて、時給を通知してもよい。また、数分単位で時給が変動すると、医師６００に対する報酬の計算が煩雑になるため、医師端末２００に対する時給の更新は、１０分毎、３０分毎、一時間毎、など、区切りの良いタイミングでのみ可能となるよう、システム側で設定を行えるようにしてもよい。
【０１２３】
次に、医師時給表示モジュール２３１は、医師端末２００の出力部２３０に医師の時給を表示する（ステップＳ５０８）。ここでは、出力方法を表示としているが、表示のかわりに音声出力を行ってもよい。
【０１２４】
医師端末２００は患者端末１００との間で、画面共有遠隔診察処理を行う（ステップＳ５０９）。画面共有遠隔診察処理については、前述した通りである。
【０１２５】
画面共有遠隔診察処理の終了後、医師端末２００は、画面共有遠隔診察システムからログアウトを行うことを、通信部２６０を介してサーバ３００に送信する（ステップＳ５１０）。
【０１２６】
最後に、サーバ３００は、通信部３３０を介してログアウトした医師情報を受け取り、医師数検出モジュール３２１は、画面共有遠隔診察システムにログインしている医師数を更新する（ステップＳ５１１）。ここでは、ログアウトにより接続解除された医師端末２００の分、接続中の医師数を減らす処理を行う。また、あわせて先にログイン済みであった医師端末２００ｘとの接続が予定外に解除されてしまった場合を考慮し、接続中であるはずの医師端末との通信が可能かどうかを確認し、接続中の医師数を再検出する処理を行ってもよい。
【０１２７】
ここでは、医師端末２００のログイン時とログアウト時に、ログインしている医師数を更新するフローチャートを記載したが、医師端末２００ｘとの接続が予定外に解除されてしまった場合を考慮し、医師数検出モジュール３２１が一定の間隔で接続中であるはずの医師端末との通信が可能かどうかを確認し、接続中の医師数を更新してもよい。
【０１２８】
図１４は、診察中に医師端末２００に医師数表示と時給表示を行う場合の出力例である。患者端末１００と画面共有中である医師端末２００の出力部２３０は、表示１４０１として、カメラ部２１０で撮像された医師の撮像画像を出力する。また表示１４０２として、患者端末１００のカメラ部１１０で撮像された患部の撮像画像を共有して出力する。この画面共有遠隔診察中の画面に、医師数表示モジュール２３２は医師数を表示し、医師時給表示モジュール２３１は医師の時給を表示する。表示１４０３はその一例である。
【０１２９】
また、図９のフローチャートでは、ログイン後に医師数と時給を表示するフローを記載したが、医師６００からのログイン要求時に医師端末２００に医師数表示と時給表示を行い、医師６００の確認後にログインさせる構成にしてもよい。その場合、医師端末２００からのログイン要求時に、ステップＳ５０３からステップＳ５０８の処理を行い、医師６００の医師数と時給の表示を確認後に、画面共有遠隔診察システムへのログイン処理を完了してもよい。
【０１３０】
図１５は、ログイン時に医師端末２００に医師数表示と時給表示を行って、医師６００の確認後にログインさせる場合の出力例である。医師端末２００の出力部２３０に、医師数表示モジュール２３２は医師数を表示し、医師時給表示モジュール２３１は医師の時給を表示する。医師６００がログインボタン１５０１を選択すると、医師端末２００とサーバ３００はログイン処理を完了し、キャンセルボタン１５０２を選択すると、画面共有遠隔診察システムに対するログイン処理を中止する。
【０１３１】
以上のように、本発明によれば、患者端末の画面を医師端末と共有しながら医師が患者に対して遠隔で診察を行う画面共有遠隔診察システムにおいて、接続可能な医師の数に応じて、医師の時給を適切に変動させ、接続可能な医師の数と医師の時給を表示する画面共有遠隔診察システム、画面共有遠隔診察方法、および画面共有遠隔診察プログラムを提供することが可能になる。
【０１３２】
これまで記載したように、本発明は、接続可能な医師の数やその他の要素に応じて、医師の時給を適切に変動させる画面共有遠隔診察システム、画面共有遠隔診察方法、および画面共有遠隔診察プログラムを提供するものである。前述した要素以外にも、時給を変動させる要素として、患者５００の病名、症状、緊急度合、システムの利用回数等が考えられる。また、医師時給変動モジュール３２２が、医師の時給を通常より値上げする特別な例として、患者５００がクレーマーである場合、患者５００からの医師６００の評価が高い場合、医師６００の対応可能な診療科目が多い場合、医師６００が母国語以外の言語で患者５００への対応が可能な場合、等を設定してもよい。
【０１３３】
上述した手段、機能は、コンピュータ（ＣＰＵ、情報処理装置、各種端末を含む）が、所定のプログラムを読み込んで、実行することによって実現される。プログラムは、例えば、フレキシブルディスク、ＣＤ（ＣＤ−ＲＯＭなど）、ＤＶＤ（ＤＶＤ−ＲＯＭ、ＤＶＤ−ＲＡＭなど）、コンパクトメモリ等のコンピュータ読取可能な記録媒体に記録された形態で提供される。この場合、コンピュータはその記録媒体からプログラムを読み取って内部記憶装置又は外部記憶装置に転送し記憶して実行する。また、そのプログラムを、例えば、磁気ディスク、光ディスク、光磁気ディスク等の記憶装置（記録媒体）に予め記録しておき、その記憶装置から通信回線を介してコンピュータに提供するようにしてもよい。
【０１３４】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【０１３５】
１００  患者端末、２００  医師端末、３００  サーバ、４００  通信網、５００  患者、６００  医師
【図１】
2018003077.tif 000003
【図２】
2018003077.tif 000004
【図３】
2018003077.tif 000005
【図４】
2018003077.tif 000006
【図５】
2018003077.tif 000007
【図６】
2018003077.tif 000008
【図７】
2018003077.tif 000009
【図８】
2018003077.tif 000010
【図９】
2018003077.tif 000011
【図１０】
2018003077.tif 000012
【図１１】
2018003077.tif 000013
【図１２】
2018003077.tif 000014
【図１３】
2018003077.tif 000015
【図１４】
2018003077.tif 000016
【図１５】
2018003077.tif 000017
【手続補正書】
【提出日】平成29年4月21日(2017.4.21)
【手続補正１】
【補正対象書類名】特許請求の範囲
【補正対象項目名】全文
【補正方法】変更
【補正の内容】
【特許請求の範囲】
【請求項１】
患者端末で撮像された患部の撮像画像が表示された当該患者端末の画面を、ネットワークを介して接続された医師端末と共有しながら医師が患者に対して遠隔で診察を行う画面共有遠隔診察システムであって、
接続可能な医師端末数から対応可能な医師の数を検出する医師数検出手段と、
前記検出された医師の数に基づいて、前記医師の時給を変動させる医師時給変動手段と、
を備えることを特徴とする画面共有遠隔診察システム。
【請求項２】
前記医師時給変動手段は、さらに接続する時間帯に基づいて前記医師の時給を変動させることを特徴とする請求項１に記載の画面共有遠隔診察システム。
【請求項３】
接続した患者の数を集計する患者数集計手段と、
を備え、
前記時給変動手段は、さらに前記患者の数に基づいて前記医師の時給を変動させることを特徴とする請求項１または請求項２のいずれかに記載の画面共有遠隔診察システム。
【請求項４】
前記医師端末に前記医師の時給を表示する医師時給表示手段を備えることを特徴とする請求項１から請求項３のいずれかに記載の画面共有遠隔診察システム。
【請求項５】
前記医師端末に前記医師の数を表示する医師数表示手段
を備えることを特徴とする請求項１から請求項４のいずれかに記載の画面共有遠隔診察システム。
【請求項６】
患者端末で撮像された患部の撮像画像が表示された当該患者端末の画面を、ネットワークを介して接続された医師端末と共有しながら医師が患者に対して遠隔で診察を行う画面共有遠隔診察システムに、
接続可能な医師端末数から対応可能な医師の数を検出するステップ、
前記検出された医師の数に基づいて、前記医師の時給を変動させるステップ、
を実行させるための画面共有遠隔診察プログラム。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】変更
【補正の内容】
【００２１】
第１の特徴に係る発明は、患者端末で撮像された患部の撮像画像が表示された当該患者端末の画面を、ネットワークを介して接続された医師端末と共有しながら医師が患者に対して遠隔で診察を行う画面共有遠隔診察システムであって、
接続可能な医師端末数から対応可能な医師の数を検出する医師数検出手段と、
前記検出された医師の数に基づいて、前記医師の時給を変動させる医師時給変動手段と、
を備えることを特徴とする画面共有遠隔診察システムを提供する。
【手続補正１６】
【補正対象書類名】明細書
【補正対象項目名】００２２
【補正方法】変更
【補正の内容】
【００２２】
第１の特徴に係る発明によれば、患者端末で撮像された患部の撮像画像が表示された当該患者端末の画面を、ネットワークを介して接続された医師端末と共有しながら医師が患者に対して遠隔で診察を行う画面共有遠隔診察システムにおいて、接続可能な医師端末数から対応可能な医師の数を検出する医師数検出手段と、前記検出された医師の数に基づいて、前記医師の時給を変動させる医師時給変動手段と、を備える。
【手続補正１７】
【補正対象書類名】明細書
【補正対象項目名】００２３
【補正方法】変更
【補正の内容】
【００２３】
第１の特徴に係る発明は、画面共有遠隔診察システムのカテゴリであるが、画面共有遠隔診察方法、および画面共有遠隔診察プログラムであっても同様の作用、効果を奏する。
【手続補正１８】
【補正対象書類名】明細書
【補正対象項目名】００２４
【補正方法】変更
【補正の内容】
【００２４】
第２の特徴に係る発明は、第１の特徴に係る発明である画面共有遠隔診察システムであって、
前記医師時給変動手段は、さらに接続する時間帯に基づいて前記医師の時給を変動させることを特徴とする画面共有遠隔診察システムを提供する。
【手続補正１９】
【補正対象書類名】明細書
【補正対象項目名】００２５
【補正方法】変更
【補正の内容】
【００２５】
第１の特徴に係る発明によれば、第２の特徴に係る発明である画面共有遠隔診察システムにおいて、前記医師時給変動手段は、さらに接続する時間帯に基づいて前記医師の時給を変動させる。
【手続補正２０】
【補正対象書類名】明細書
【補正対象項目名】００２６
【補正方法】変更
【補正の内容】
【００２６】
第３の特徴に係る発明は、第１の特徴または第２の特徴のいずれかに係る発明である画面共有遠隔診察システムであって、
接続した患者の数を集計する患者数集計手段と、
を備え、
前記時給変動手段は、さらに前記患者の数に基づいて前記医師の時給を変動させることを特徴とする画面共有遠隔診察システムを提供する。
【手続補正２１】
【補正対象書類名】明細書
【補正対象項目名】００２７
【補正方法】変更
【補正の内容】
【００２７】
第３の特徴に係る発明によれば、第１の特徴または第２の特徴のいずれかに係る発明である画面共有遠隔診察システムにおいて、接続した患者の数を集計する患者数集計手段と、を備え、前記時給変動手段は、さらに前記患者の数に基づいて前記医師の時給を変動させる。
を変動させる。
【手続補正２２】
【補正対象書類名】明細書
【補正対象項目名】００２８
【補正方法】変更
【補正の内容】
【００２８】
第４の特徴に係る発明は、第１の特徴から第３の特徴のいずれかに係る発明である画面共有遠隔診察システムであって、
前記医師端末に前記医師の時給を表示する医師時給表示手段を備えることを特徴とする画面共有遠隔診察システムを提供する。
【手続補正２３】
【補正対象書類名】明細書
【補正対象項目名】００２９
【補正方法】変更
【補正の内容】
【００２９】
第４の特徴に係る発明によれば、第１の特徴から第３の特徴のいずれかに係る発明である画面共有遠隔診察システムにおいて、前記医師端末に前記医師の時給を表示する医師時給表示手段を備える。
【手続補正２４】
【補正対象書類名】明細書
【補正対象項目名】００３０
【補正方法】変更
【補正の内容】
【００３０】
第５の特徴に係る発明は、第１の特徴から第４の特徴のいずれかに係る発明である画面共有遠隔診察システムであって、
前記医師端末に前記医師の数を表示する医師数表示手段を備えることを特徴とする画面共有遠隔診察システムを提供する。
【手続補正２５】
【補正対象書類名】明細書
【補正対象項目名】００３１
【補正方法】変更
【補正の内容】
【００３１】
第５の特徴に係る発明によれば、第１の特徴から第４の特徴のいずれかに係る発明である画面共有遠隔診察システムにおいて、前記医師端末に前記医師の数を表示する医師数表示手段を備える。
【手続補正２６】
【補正対象書類名】明細書
【補正対象項目名】００３２
【補正方法】削除
【補正の内容】
【手続補正２７】
【補正対象書類名】明細書
【補正対象項目名】００３３
【補正方法】変更
【補正の内容】
【００３３】
第６の特徴に係る発明は、患者端末で撮像された患部の撮像画像が表示された当該患者端末の画面を、ネットワークを介して接続された医師端末と共有しながら医師が患者に対して遠隔で診察を行う画面共有遠隔診察システムに、
接続可能な医師端末数から対応可能な医師の数を検出するステップ、
前記検出された医師の数に基づいて、前記医師の時給を変動させるステップ、
を実行させるための画面共有遠隔診察プログラムを提供する。
【国際調査報告】
2018003077.tif 000018
2018003077.tif 000019
2018003077.tif 000020
2018003077.tif 000021